(57)【要約】【課題】フリッカ調整を行う液晶表示装置において、フリッカ調整時以外に不慮にフリッカ調整が行われる事態の発生を防止する。【解決手段】開示される液晶表示装置のフリッカ調整システムは、液晶表示部２の駆動方式に対応するフリッカ調整用画面を用いて液晶表示部２のフリッカ調整を行うように構成されている液晶表示装置において、液晶表示部２に対する入力信号中にフリッカ調整用画面の存在を判定したとき、特定の信号を出力する入力信号パターン判定部１と、この特定の信号に応じて液晶表示部２のコモン電極電位を制御するための電圧調整用信号を出力するとともに、以後、電圧調整用信号の出力状態を維持するＣＯＭ電位制御部３と、電圧調整用信号に応じてコモン電極電圧を供給して液晶表示部２のコモン電極電位を設定するＣＯＭ電位出力部４とを備えて構成されている。【選択図】図１
2007183464.tif 000002
【特許請求の範囲】
【請求項１】
液晶表示手段の駆動方式に対応するフリッカ調整用画面を用いて前記液晶表示手段のフリッカ調整を行うように構成されている液晶表示装置において、
前記液晶表示手段に対する入力信号中にフリッカ調整用画面の存在を判定したとき、特定の信号を出力する入力信号パターン判定手段と、
前記特定の信号に応じて前記液晶表示手段のコモン電極電位を制御するための電圧調整用信号を出力するとともに、以後、前記電圧調整用信号の出力状態を維持するＣＯＭ電位制御手段と、
前記電圧調整用信号に応じてコモン電極電圧を供給して前記液晶表示手段のコモン電極電位を設定するＣＯＭ電位出力手段とを備えたことを特徴とする液晶表示装置のフリッカ調整システム。
【請求項２】
液晶表示手段の駆動方式に対応するフリッカ調整用画面を用いて前記液晶表示手段のフリッカ調整を行うように構成されている液晶表示装置において、
前記液晶表示手段に対する入力信号中にフリッカ調整用画面の存在を判定するとともに、前記フリッカ調整用画面の入力タイミングが所定タイミングであることを判定したとき、特定の信号を出力する入力信号パターン判定手段と、
前記特定の信号に応じて前記液晶表示手段のコモン電極電位を制御するための電圧調整用信号を出力するとともに、以後、前記電圧調整用信号の出力状態を維持するＣＯＭ電位制御手段と、
前記電圧調整用信号に応じてコモン電極電圧を供給して前記液晶表示手段のコモン電極電位を設定するＣＯＭ電位出力手段とを備えたことを特徴とする液晶表示装置のフリッカ調整システム。
【請求項３】
液晶表示手段の駆動方式に対応するフリッカ調整用画面を用いて前記液晶表示手段のフリッカ調整を行うように構成されている液晶表示装置において、
前記液晶表示手段に対する入力信号中にフリッカ調整用画面の存在を判定し、前記フリッカ調整用画面の入力タイミングが所定タイミングであることを判定するとともに、前記液晶表示手段の規格が製品仕様に適合することを判定したとき、特定の信号を出力する入力信号パターン判定手段と、
前記特定の信号に応じて前記液晶表示手段のコモン電極電位を制御するための電圧調整用信号を出力するとともに、以後、前記電圧調整用信号の出力状態を維持するＣＯＭ電位制御手段と、
前記電圧調整用信号に応じてコモン電極電圧を供給して前記液晶表示手段のコモン電極電位を設定するＣＯＭ電位出力手段とを備えたことを特徴とする液晶表示装置のフリッカ調整システム。
【請求項４】
前記ＣＯＭ電位制御手段において前記電圧調整用信号を出力状態に設定するためのスイッチが、液晶表示装置に取り付けた治工具に設けられていることを特徴とする請求項１乃至３のいずれか一記載の液晶表示装置のフリッカ調整システム。
【請求項５】
前記ＣＯＭ電位制御手段において前記電圧調整用信号を出力状態に設定するためのスイッチが、液晶表示装置自体に具備されていることを特徴とする請求項１乃至３のいずれか一記載の液晶表示装置のフリッカ調整システム。
【請求項６】
前記液晶表示手段の駆動方式が、１フレーム期間ごとにフレーム全体の極性を交互に反転させるフレーム反転駆動方式であることを特徴とする請求項１乃至５のいずれか一記載の液晶表示装置のフリッカ調整システム。
【請求項７】
前記液晶表示手段の駆動方式が、交互に１ラインごとに、１フレーム期間ごとにそれぞれのラインの極性を交互に反転させるライン反転駆動方式であることを特徴とする請求項１乃至５のいずれか一記載の液晶表示装置のフリッカ調整システム。
【請求項８】
前記液晶表示手段の駆動方式が、交互に１ドットごとに、１フレーム期間ごとにそれぞれのドットの極性を交互に反転させるドット反転駆動方式であることを特徴とする請求項１乃至５のいずれか一記載の液晶表示装置のフリッカ調整システム。
【請求項９】
前記液晶表示手段の駆動方式が、交互に１水平走査ラインと２垂直走査ラインごとにまとめて、１フレーム期間ごとにそれぞれの極性を交互に反転させる１Ｈ２Ｖ反転駆動方式であることを特徴とする請求項１乃至５のいずれか一記載の液晶表示装置のフリッカ調整システム。
【請求項１０】
前記液晶表示手段の駆動方式が、交互に２水平走査ラインと１垂直走査ラインごとにまとめて、１フレーム期間ごとにそれぞれの極性を交互に反転させる２Ｈ１Ｖ反転駆動方式であることを特徴とする請求項１乃至５のいずれか一記載の液晶表示装置のフリッカ調整システム。
【発明の詳細な説明】
【技術分野】
【０００１】
入力データから調整用フリッカ調整用画面、又はフリッカ画面と入力タイミング、又はフリッカ画面と入力タイミング及び製品規格に相当する信号データが入力されたことが判別された場合にのみ、フリッカ調整が可能になるようにする、液晶表示装置のフリッカ調整システムに関する。
【背景技術】
【０００２】
フリッカの調整を行うことがきるようになっている液晶表示装置においては、製造工程において、フリッカ調整作業が行われる。フリッカ調整のためには種々の方法が提案され実行されているが、そのなかに、液晶表示装置の画面に表示されるフリッカ調整用画面を用いて所要の調整を行う方法がある。
【０００３】
図２は、フリッカ調整時に、液晶表示部１１におけるコモン電極（不図示）に対して、最適なコモン電極電位（ＣＯＭ電位）を設定するための、従来のシステム構成例を示したものである。
図２に示すＣＯＭ電位制御部１２は、スイッチ（ＳＷ）治具等を介して外部から与えられる電圧調整用信号によって、ＣＯＭ電位出力部１３が液晶表示部１１に供給するコモン電極電圧を変化させる。
この際、作業者が液晶表示部１１に表示されているフリッカ調整用画面におけるフリッカの状況を観察しながら、フリッカが最小の状態になるように、外部から与える電圧調整用信号の値を調整することによって、ＣＯＭ電位出力部１３から出力されるコモン電極電圧が変化して、液晶表示部１１においてフリッカが最小の状態になるようなＣＯＭ電位が設定される。
このようにして決定された、フリッカが最小の状態になるＣＯＭ電位に対応する電圧調整用信号値は、ＣＯＭ電位制御部１２内のメモリ（不図示）に記憶される。従ってフリッカ調整作業終了時、ＳＷ治具を取り外しても、ＣＯＭ電位制御部１２から記憶されている値の電圧調整用信号が出力されるので、液晶表示部１１において、フリッカが最小となるＣＯＭ電位が維持される。
【０００４】
フリッカ調整については、例えば特許文献１において、コモン電極と、これに対向してマトリクス状に配置された個別に制御可能な複数の画素電極との間に液晶物質を注入した構造の液晶パネルにおける、コモン電極と画素電極間に印加する駆動電圧を一定周期ごとに反転させる反転駆動方式の液晶表示装置において、製造工程におけるフリッカ調整時、液晶表示装置の画面上にフリッカ調整用画面を表示させておき、液晶表示装置に設けられたフリッカ調整用ボリュームを手動で調節して、フリッカ調整用画面におけるレベルメータを段階的に変化させながら、フリッカ調整用画面に表示された横縞模様のフリッカ調整用パターンに生じているフリッカの程度を目視によって観察して、フリッカが最も少なくなった状態で、調整作業を終了するとともに、そのときのレベルメータ値を制御回路に記憶させるようにし、これによって液晶表示装置が、以後の動作時、制御回路に記憶したレベルメータ値に応じてコモン電極と画素電極に印加する電圧の中心電位レベルを調整することによって、フリッカ調整時における中心電位レベルの調整状態を再現して、常にフリッカの少ない画面表示を行うことができるようにする、液晶表示装置及びそのフリッカ調整方法が開示されている。
【０００５】
また、特許文献２においては、液晶表示装置等のディスプレイにおいて、表示画面のフリッカーレベルを検出して検出電圧Ｓｐを生成し、検出電圧Ｓｐと所定電圧Ｓｆとを比較して、検出電圧Ｓｐが所定電圧Ｓｆより大きい場合に、フリッカー改善のために用いられていた反転技術である、ドット反転，ライン反転，コラム反転，ｎライン反転，ｎコラム反転等のうちの特定の反転技術を、自動的に他のいずれかの反転技術に切り替えることによってフリッカー効果を除去するようにした、ディスプレイのフリッカー自動改善方法およびそのシステムが開示されている。
【０００６】
また、特許文献３においては、共通電極面と画素電極面とを液晶物質を介して対向して配置した液晶表示装置において、画素電極面における画像表示部の周囲に複数のダミー画素を形成する画素電極を配置する。そして、複数のダミー画素のうちで正極性の階調電圧が書き込まれたダミー画素の画素電極電圧と共通電極に印加される共通電圧との電位差を検出するとともに、複数のダミー画素のうちで負極性の階調電圧が書き込まれたダミー画素の画素電極電圧と共通電極に印加される共通電圧との電位差を検出して、両電位差が等しくなるように制御回路が共通電圧を制御することによって、液晶表示装置において自動的にフリッカを除去可能にすることが開示されている。
【０００７】
さらに、特許文献４においては、液晶パネルを用いて変調光を生成する方式のプロジェクタにおいて、変調光の輝度を検出するための輝度センサを設けて、設定されたパラメータ値に従って調整された対向電極電圧に応じて液晶パネルから射出される変調光の輝度を検出する。そして、パラメータ値を複数の値に順次設定して、パラメータの各設定値に対応して、輝度センサで検出された輝度信号の最大値と最小値との差によってフリッカ値を求め、フリッカ値が最小となるパラメータ値を設定して、液晶パネルに入力する対向電極電圧値を調整することによって、プロジェクタからの投射画像のフリッカを除去することが開示されている。
【特許文献１】特開２００２−１４９１２３号公報
【特許文献２】特開２００２−１９６７３５号公報
【特許文献３】特開２００４−２６４６７７号公報
【特許文献４】特開２００５−２２１５６９号公報
【発明の開示】
【発明が解決しようとする課題】
【０００８】
製造工程中にフリッカ調整を含む液晶表示装置において、フリッカ調整以外の作業時における作業者の過失や、液晶表示装置の使用中における装置に対する衝撃の発生，事故等によって、液晶表示装置における既存のフリッカ調整状態が変化してフリッカ調整値が変動してしまうという事態が生じることがある。
【０００９】
この発明は上述の事情に鑑みてなされたものであって、製造工程における作業者の過失や、装置に対する衝撃の発生，事故等に基づいて、液晶表示装置において既存のフリッカ調整値が不慮に変化するのを防止することが可能な、液晶表示装置のフリッカ調整システムを提供することを目的としている。
【課題を解決するための手段】
【００１０】
上記課題を解決するため、請求項１記載の発明は液晶表示装置のフリッカ調整システムに係り、液晶表示手段の駆動方式に対応するフリッカ調整用画面を用いて上記液晶表示手段のフリッカ調整を行うように構成されている液晶表示装置において、上記液晶表示手段に対する入力信号中にフリッカ調整用画面の存在を判定したとき、特定の信号を出力する入力信号パターン判定手段と、上記特定の信号に応じて上記液晶表示手段のコモン電極電位を制御するための電圧調整用信号を出力するとともに、以後、上記電圧調整用信号の出力状態を維持するＣＯＭ電位制御手段と、上記電圧調整用信号に応じてコモン電極電圧を供給して上記液晶表示手段のコモン電極電位を設定するＣＯＭ電位出力手段とを備えたことを特徴としている。
【００１１】
また、請求項２記載の発明は液晶表示装置のフリッカ調整システムに係り、液晶表示手段の駆動方式に対応するフリッカ調整用画面を用いて上記液晶表示手段のフリッカ調整を行うように構成されている液晶表示装置において、上記液晶表示手段に対する入力信号中にフリッカ調整用画面の存在を判定するとともに、上記フリッカ調整用画面の入力タイミングが所定タイミングであることを判定したとき、特定の信号を出力する入力信号パターン判定手段と、上記特定の信号に応じて上記液晶表示手段のコモン電極電位を制御するための電圧調整用信号を出力するとともに、以後、上記電圧調整用信号の出力状態を維持するＣＯＭ電位制御手段と、上記電圧調整用信号に応じてコモン電極電圧を供給して上記液晶表示手段のコモン電極電位を設定するＣＯＭ電位出力手段とを備えたことを特徴としている。
【００１２】
また、請求項３記載の発明は液晶表示装置のフリッカ調整システムに係り、液晶表示手段の駆動方式に対応するフリッカ調整用画面を用いて上記液晶表示手段のフリッカ調整を行うように構成されている液晶表示装置において、上記液晶表示手段に対する入力信号中にフリッカ調整用画面の存在を判定し、上記フリッカ調整用画面の入力タイミングが所定タイミングであることを判定するとともに、上記液晶表示手段の規格が製品仕様に適合することを判定したとき、特定の信号を出力する入力信号パターン判定手段と、上記特定の信号に応じて上記液晶表示手段のコモン電極電位を制御するための電圧調整用信号を出力するとともに、以後、上記電圧調整用信号の出力状態を維持するＣＯＭ電位制御手段と、上記電圧調整用信号に応じてコモン電極電圧を供給して上記液晶表示手段のコモン電極電位を設定するＣＯＭ電位出力手段とを備えたことを特徴としている。
【００１３】
また、請求項４記載の発明は、請求項１乃至３のいずれか一記載の液晶表示装置のフリッカ調整システムに係り、上記ＣＯＭ電位制御手段において上記電圧調整用信号を出力状態に設定するためのスイッチが、液晶表示装置に取り付けた治工具に設けられていることを特徴としている。
【００１４】
また、請求項５記載の発明は、請求項１乃至３のいずれか一記載の液晶表示装置のフリッカ調整システムに係り、上記ＣＯＭ電位制御手段において上記電圧調整用信号を出力状態に設定するためのスイッチが、液晶表示装置自体に具備されていることを特徴としている。
【００１５】
また、請求項６記載の発明は、請求項１乃至５のいずれか一記載の液晶表示装置のフリッカ調整システムに係り、上記液晶表示手段の駆動方式が、１フレーム期間ごとにフレーム全体の極性を交互に反転させるフレーム反転駆動方式であることを特徴としている。
【００１６】
また、請求項７記載の発明は、請求項１乃至５のいずれか一記載の液晶表示装置のフリッカ調整システムに係り、上記液晶表示手段の駆動方式が、交互に１ラインごとに、１フレーム期間ごとにそれぞれのラインの極性を交互に反転させるライン反転駆動方式であることを特徴としている。
【００１７】
また、請求項８記載の発明は、請求項１乃至５のいずれか一記載の液晶表示装置のフリッカ調整システムに係り、上記液晶表示手段の駆動方式が、交互に１ドットごとに、１フレーム期間ごとにそれぞれのドットの極性を交互に反転させるドット反転駆動方式であることを特徴としている。
【００１８】
また、請求項９記載の発明は、請求項１乃至５のいずれか一記載の液晶表示装置のフリッカ調整システムに係り、上記液晶表示手段の駆動方式が、交互に１水平走査ラインと２垂直走査ラインごとにまとめて、１フレーム期間ごとにそれぞれの極性を交互に反転させる１Ｈ２Ｖ反転駆動方式であることを特徴としている。
【００１９】
また、請求項１０記載の発明は、請求項１乃至５のいずれか一記載の液晶表示装置のフリッカ調整システムに係り、上記液晶表示手段の駆動方式が、交互に２水平走査ラインと１垂直走査ラインごとにまとめて、１フレーム期間ごとにそれぞれの極性を交互に反転させる２Ｈ１Ｖ反転駆動方式であることを特徴としている。
【発明の効果】
【００２０】
本発明の液晶表示装置のフリッカ調整システムによれば、フリッカ調整を行う方式の液晶表示装置において、フリッカ調整時以外の作業時における作業者の過失や、液晶表示装置の使用中における装置に対する衝撃の発生，事故等によって、液晶表示装置における既存のフリッカ調整状態が変化してフリッカ調整値が変動してしまうのを回避することができる。
【発明を実施するための最良の形態】
【００２１】
液晶表示手段の駆動方式に対応するフリッカ調整用画面を用いて液晶表示手段のフリッカ調整を行うように構成されている液晶表示装置において、液晶表示手段に対する入力信号中にフリッカ調整用画面の存在を判定したとき、特定の信号を出力する入力信号パターン判定手段と、特定の信号に応じて液晶表示手段のコモン電極電位を制御するための電圧調整用信号を出力するとともに、以後、電圧調整用信号の出力状態を維持するＣＯＭ電位制御手段と、電圧調整用信号に応じてコモン電極電圧を供給して液晶表示手段のコモン電極電位を設定するＣＯＭ電位出力手段とを備えて構成されている。
【実施例１】
【００２２】
図１は、本発明の第１実施例である液晶表示装置のフリッカ調整システムの構成を示す図である。
この例の液晶表示装置のフリッカ調整システムは、図１に示すように、入力信号パターン判定部１と、液晶表示部２と、ＣＯＭ電位制御部３と、ＣＯＭ電位出力部４とから概略構成されている。なお図１においては、液晶表示装置本体の構成は省略して示されていて、所要の入力信号に応じて画像表示を行う液晶表示部２のみが示されている。
【００２３】
入力信号パターン判定部１は入力信号を判別して、予め記憶している、当該液晶表示装置の駆動方式に対応するフリッカ調整用画面に相当するデータと一致する信号データが入力した場合に、一致を判定したことを示す特定の信号を出力する。液晶表示部２は、入力信号パターン判定部１を通過した入力信号に応じて、当該液晶表示装置の駆動方式に従って画像表示を行う。ＣＯＭ電位制御部３は、入力信号パターン判定部１からの特定の信号に応じて、液晶表示部２のコモン電極（不図示）電圧を供給するために必要な電圧調整用信号を生成してＣＯＭ電位出力部４に出力する。ＣＯＭ電位出力部４は、ＣＯＭ電位制御部３からの電圧調整用信号に応じて、液晶表示部２におけるＬＣＤ（Liquid Crystal Display）パネルのコモン電極の電位（ＣＯＭ電位）を設定する電圧を出力する。
【００２４】
以下、図１を参照して、この例の液晶表示装置のフリッカ調整システムの動作を説明する。
フリッカ調整用画面は液晶表示装置のフリッカ調整に使用する画面であって、液晶表示装置の駆動方式に応じて定まる特有の画面なので、液晶表示装置の駆動方式が決定すれば一義的に定まる。そこで、液晶表示装置の形式に応じて、入力信号パターン判定部１に予め当該液晶表示装置でフリッカ調整時に使用するフリッカ調整用画面に相当する信号のデータを記憶させておけば、入力信号パターン判定部１で入力信号データとの一致を判別することによって、液晶表示装置がフリッカ調整可能状態になったことを判定して、ＣＯＭ電位制御部３に対して電圧調整用信号発生のための特定の信号を出力することができる。通常、フリッカ調整用画面は、繰り返し表示パターンであり、従って入力信号パターン判定部１において、フリッカ調整用画面を判別するためのデータを記憶するのに必要なメモリ容量は、数画素分で十分である。
【００２５】
具体的には、入力信号パターン判定部１では、フリッカ調整用画面が入力されたと判定したときは、ハイ（Ｈ）レベルの信号を出力し、それ以外のときは、ロウ（Ｌ）レベルの信号を出力する。ＣＯＭ電位制御部３では、入力信号パターン判定部１からの入力がＨレベルのときはフリッカ調整可と認識して、ＣＯＭ電位出力部４に対して電圧調整用信号を出力するが、入力がＬレベルのときはフリッカ調整不可と認識して、ＣＯＭ電位出力部４に対して電圧調整用信号を出力しない。これによってＣＯＭ電位出力部４は、フリッカ調整可の場合にのみ、電圧調整用信号に対応して可変電圧の出力を発生して、液晶表示部２にコモン電極電圧として供給するので、液晶表示部２においてＣＯＭ電位を変化させることによってフリッカ調整が可能となるが、それ以外の場合はＣＯＭ電位は常に一定に保たれている。
【００２６】
さらに具体的には、ＣＯＭ電位制御部３では、Ｈレベルの信号の入力によってフリッカ調整可状態になった場合には、ＣＯＭ電位調整用の電子ボリューム（不図示）の調節が可能になるので、作業者は、電子ボリュームの設定に応じて定まる電圧調整用信号によって、ＣＯＭ電位出力部４から出力されるコモン電極電圧を変化させることによって、液晶表示部２におけるＣＯＭ電位を最良状態に設定して、フリッカが最小の状態になるように調整を行うことができる。なお、Ｌレベルの信号の入力によってフリッカ調整不可状態になっている場合には、電子ボリュームがプロテクト状態になるように設定しておくことによって、電子ボリュームに対する外部からの調整は無効とされ、従ってフリッカ調整を行うことは不可能となる。
【００２７】
なお、ＣＯＭ電位制御部３におけるＣＯＭ電位調整は、スイッチ（ＳＷ）治具等を用いて液晶表示装置の外部から電子ボリュームを調整して行ってもよく、又は、ＳＷ治具を液晶表示装置自体に具備することによって、液晶表示装置内部で電子ボリュームの調整を行うようにしてもよい。ここで、スイッチ（ＳＷ）とは、例えばプラス（＋）とマイナス（−）の２つのボタンを備えた治具であって、＋ボタン（−ボタン）を押すことによって押された状態が電子ボリュームに伝達されて、１回押すごとにＸｍＶずつＣＯＭ電位が上がる（下がる）ように構成されているものである。
【００２８】
このように、この例の液晶表示装置のフリッカ調整システムによれば、フリッカ調整状態になって、フリッカ調整用画面が液晶表示部２に入力されて表示されている場合にのみ、コモン電極電位を調整してフリッカ調整を行うことが可能になる。
従って、ＣＯＭ電位制御部３におけるＣＯＭ電位出力部４に対する電圧調整用信号の発生にＳＷ治具等を用いる場合には、液晶表示装置に対するフリッカ調整以外の調整作業中の操作ミスや、フリッカ調整作業終了後のＳＷ治具の取り外し時の誤動作等によるフリッカ調整状態の変化を防止することができる。
また、ＣＯＭ電位制御部３における電圧調整用信号の発生用ＳＷを調整用治工具に設けるのではなく、製品に実装する場合には、例えば製品出荷後における意図しないＳＷ操作の発生が考えられるが、この例の液晶表示装置のフリッカ調整システムによれば、このような場合でも、フリッカ調整用画面が入力信号パターン判定部１に入力されてフリッカ調整可能な状態になった場合でない限り、フリッカ調整を行うことができないので、装置使用中における不慮のフリッカ調整状態の発生や、装置に対する衝撃の発生，事故等によるフリッカ調整状態の変化を確実に防止することができる。
【００２９】
図１に示された実施例においては、入力データのみの条件からフリッカ調整が可能になるようにしているが、入力データの他に入力タイミングのデータも使用して、この２つの条件からフリッカ調整を行えるようにすることも可能である。以下においては、この場合の実施例について説明する。
【実施例２】
【００３０】
この例における液晶表示装置のフリッカ調整システムの回路構成は図１に示されたものと同様であるが、入力信号パターン判定部１において、入力信号からフリッカ調整用画面を判別するとともにそのデータの入力タイミングも判定して、両者の条件が具備されている場合にのみ、フリッカ調整を行うことができるように構成されている点が実施例１の場合と異なっているが、それ以外は、実施例１の場合と同様である。なお、フリッカ調整用データの入力タイミングは、製品の仕様によって一定であって液晶表示装置のタイミングコントローラに記憶されているが、液晶表示部の駆動方式とは特に相関はない。
【００３１】
例えば、駆動方式がドット反転駆動方式であって、製品仕様における、フリッカ調整用データの入力タイミングが１３０ＭＨｚであるとする。
フリッカ調整用画面を表示する際には、駆動方式によってフリッカ調整時の画面が一義的に決定される。ドット反転駆動方式の場合は、フリッカ調整用画面はドット市松模様の画面になる。
この状態の画面を表示するためには、正常なタイミング入力が必要であって、この場合は、タイミング入力として１３０ＭＨｚが入力されていることになる。
【００３２】
一方、製造設備側のタイミング発生器が正規のタイミング入力でない、例えば１２０ＭＨｚのタイミングでデータ入力を行っていたときでも、製品の液晶表示部において、正常に画像表示が行われる場合がある。例えばフレーム周波数が低い場合等にはこのような現象が発生する可能性がある。
しかしながら、フリッカ調整を行う場合には、正規の１３０ＭＨｚの入力タイミングでないと、フリッカ検査が正しく行われないことになる。
そこで、液晶表示装置において、入力タイミングが正規のタイミングでないことを示すアラームを発生して、入力タイミングが正しくないことを作業者に警告することによって、フリッカ検査が正しく行われない事態の発生を防止することができる。
【００３３】
このように、この例の液晶表示装置のフリッカ調整システムによれば、フリッカ調整状態になって、フリッカ調整用画面が入力されているとともに、この画面の入力タイミングが正常であった場合にのみ、コモン電極電位を変化させてフリッカ調整を行うことが可能になる。
従って、フリッカ調整を行う方式の液晶表示装置において、実施例１の場合と同様に、ＣＯＭ電位制御部３における電圧調整用信号の発生にＳＷ治具等を用いる場合には、液晶表示装置に対するフリッカ調整以外の調整作業中の操作ミスや、フリッカ調整作業終了後のＳＷ治具の取り外し時の誤動作等によるフリッカ調整状態の変化を防止することができるとともに、ＣＯＭ電位制御部３における電圧調整用信号の発生用ＳＷを製品に実装する場合でも、フリッカ調整用画面が入力信号パターン判定部１に入力されてフリッカ調整可能な状態になった場合でない限り、フリッカ調整を行うことができないので、装置使用中における不慮のフリッカ調整状態の発生や、装置に対する衝撃の発生，事故等によるフリッカ調整状態の変化を確実に防止することができる。
【００３４】
実施例２においては、入力データと入力タイミングの２つの条件からフリッカ調整が可能になるようにしているが、入力データと入力タイミングの２条件以外に、液晶表示装置の仕様が定められた製品仕様と異なる場合にも、フリッカ調整を行えないようにすることも可能である。以下においては、この場合の実施例について説明する。
【実施例３】
【００３５】
この例における液晶表示装置のフリッカ調整システムの回路構成は図１に示されたものと同様であるが、この例の場合は、入力信号パターン判定部１においてフリッカ調整用画面とデータの入力タイミングとを判定する以外に、液晶表示装置の製品仕様を判定して、所定の仕様条件を満たす場合にのみ、フリッカ調整を行うことが可能なように構成されている点が実施例１及び実施例２の場合と異なっているが、それ以外は、実施例１及び実施例２と同様である。
【００３６】
この例の場合は、予め、フリッカ調整を行おうとする液晶表示装置の製品仕様の内容を、入力信号パターン判定部１内のメモリ（不図示）に設定しておき、入力信号パターン判定部１が、フリッカ調整用画面を所要のタイミングで判定し、かつ入力された液晶表示装置の製品仕様をその内部のメモリに予め設定されている仕様条件と比較して、一致が確認された場合にのみ、ＣＯＭ電位制御部３において電圧調整用信号を発生してＣＯＭ電位出力部４に供給して、ＣＯＭ電位出力部４から液晶表示部２に出力されるコモン電極電圧を変化させることによって、液晶表示部２におけるＣＯＭ電位を調整して、フリッカ調整を行うことが可能になる。
【００３７】
このように、この例の液晶表示装置のフリッカ調整システムによれば、フリッカ調整状態になって、フリッカ調整用画面が入力され表示されているとともに、その入力タイミングと、製品仕様とが予め設定されている値と一致した場合にのみ、フリッカ調整を実施することが可能になる。
従って、フリッカ調整を行う方式の液晶表示装置において、実施例１及び実施例２の場合と同様に、ＣＯＭ電位制御部３における電圧調整用信号の発生にＳＷ治具等を用いる場合には、フリッカ調整時以外の調整作業における作業者の過失や、フリッカ調整作業終了後のＳＷ治具の取り外し時の誤動作等によるフリッカ調整状態の変化を防止することができるとともに、ＣＯＭ電位制御部３における電圧調整用信号の発生用ＳＷを液晶表示装置内に具備する場合には、フリッカ調整可能な状態になった場合でない限り、フリッカ調整を行うことができないので、液晶表示装置の使用中における不慮のフリッカ調整状態の発生や、装置に対する衝撃の発生，事故等によって、液晶表示装置における既存のフリッカ調整状態の変化を防止することができる。
【００３８】
以上、この発明の実施例を図面により詳述してきたが、具体的な構成はこの実施例に限られるものではなく、この発明の要旨を逸脱しない範囲の設計の変更等があってもこの発明に含まれる。例えば、液晶表示装置におけるＬＣＤパネルの駆動方式としては、１フレーム期間ごとにフレーム全体の極性を反転させるフレーム反転駆動方式であってもよく、又は交互に１ラインごとに極性を反転させる画面構成として、１フレーム期間ごとにそれぞれのラインの極性を交互に反転させるライン反転駆動方式であってもよく、又は１ドットごとに極性を反転させる画面構成として、１フレーム期間ごとにそれぞれのドットの極性を交互に反転させるドット反転駆動方式であってもよく、又は交互に１水平ライン（Ｈ），２垂直ライン（Ｖ）の纏まりごとに極性を反転させる画面構成として、１フレーム周期ごとにそれぞれのブロックの極性を交互に反転させる１Ｈ２Ｖ反転駆動方式であってもよく、又は交互に２水平ライン（Ｈ），１垂直ライン（Ｖ）の纏まりごとに極性を反転させる画面構成として、１フレーム周期ごとにそれぞれのブロックの極性を交互に反転させる２Ｈ１Ｖ反転駆動方式であってもよい。
【産業上の利用可能性】
【００３９】
この発明の液晶表示装置のフリッカ調整システムは、液晶テレビやパソコンの液晶ディスプレイ、カーナビ装置の液晶表示部や各種携帯情報端末（ＰＤＡ）の液晶表示部等のフリッカ調整に適用可能なものである。
【図面の簡単な説明】
【００４０】
【図１】本発明の第１実施例である液晶表示装置のフリッカ調整システムの構成を示す回路図である。
【図２】従来の液晶表示装置のフリッカ調整システムを示す図である。
【符号の説明】
【００４１】
１    入力信号パターン判定部（入力信号パターン判定手段）
２    液晶表示部（液晶表示手段）
３    ＣＯＭ電位制御部（ＣＯＭ電位制御手段）
４    ＣＯＭ電位発生部（ＣＯＭ電位発生手段）
【図１】
2007183464.tif 000003
【図２】
2007183464.tif 000004